(57)【要約】【課題】コネクタハウジングにおけるロックアームの過大変位による破損を防止することができ、しかも、コネクタハウジングの成形性を低下させる要因となるコネクタハウジングの構造の複雑化を招くこともないカバー付きコネクタを提供すること。【解決手段】コネクタハウジング２０の後端２０ａにコネクタカバー４０が結合されるカバー付きコネクタ１において、コネクタハウジング２０のロック解除用押下部２３と対向するコネクタカバー４０の端子押し込み突片４１１上に、ロック解除用押下部２３の押下によるロックアーム２２の撓み変位量が規定値に達したときにロックアーム２２と当接してロックアーム２２の変位を規制するアーム変位規制部４１４を隆起形成する。【選択図】図１３
2013110024.tif 000002
【特許請求の範囲】
【請求項１】
相手コネクタに嵌合接続されるコネクタハウジングと、該コネクタハウジングの後端に結合されて前記コネクタハウジングの後端から導出する電線の導出方向を規制するコネクタカバーと、を備え、
前記コネクタハウジングは、複数の端子挿入孔を有するハウジング本体と、該ハウジング本体の一側面の前端側から立ち上がって後端側に延出して設けられたアーム本体上の係合部が相手コネクタの係合手段と係合することで前記ハウジング本体を相手コネクタに結合させるロックアームと、該ロックアームの後端部に形成されて該ロックアームと相手コネクタの係合手段との係合を解除するときに押下されるロック解除用押下部と、を備え、
前記コネクタカバーは、前記コネクタハウジングの後端に結合されるハウジング固定部と、前記コネクタハウジングの後端への結合に伴い前記端子挿入孔に挿入されて前記端子挿入孔内の中途挿入状態の端子金具を正規の挿入完了位置に押し込む端子押し込み突片と、前記ハウジング本体から導出する電線の導出方向を規制する電線案内壁部と、
を備えるカバー付きコネクタであって、
前記ロック解除用押下部と対向する前記端子押し込み突片上に、前記ロック解除用押下部の押下による前記ロックアームの撓み変位量が規定値に達したときに前記ロックアームと当接して前記ロックアームの変位を規制するアーム変位規制部を隆起形成したことを特徴とするカバー付きコネクタ。
【発明の詳細な説明】
【技術分野】
【０００１】
本発明は、相手コネクタに嵌合接続されるコネクタハウジングと、該コネクタハウジングの後端に嵌合装着されて前記コネクタハウジングの後端から導出する電線の導出方向を規制するコネクタカバーと、を備えるカバー付きコネクタに関する。
【背景技術】
【０００２】
図１７及び図１８は、下記特許文献１に開示されたカバー付きコネクタを示している。
このカバー付きコネクタ１００は、相手コネクタに嵌合接続されるコネクタハウジング１１０と、該コネクタハウジング１１０の後端に嵌合装着されてコネクタハウジング１１０の後端から導出する電線の導出方向を規制するコネクタカバー１２０と、を備えている。
【０００３】
コネクタハウジング１１０は、複数の端子挿入孔を有するハウジング本体１１１と、該ハウジング本体１１１の一側面である上壁面１１１ａに突設されたロックアーム１１２と、該ロックアーム１１２の端部に形成されたロック解除用押下部１１３と、ハウジング本体１１１の後端１１１ｂ側の両側壁に備えられたカバー結合手段１１４と、を備える。
コネクタハウジング１１０は、収容する端子金具に接続された電線が、ハウジング本体１１１の後端１１１ｂから矢印Ｘ１で示す方向に導出する。
【０００４】
ロックアーム１１２は、ハウジング本体１１１の前端側から立ち上がって後端側に延出して設けられたアーム本体１１２ａの中間部に相手コネクタとの係合部（不図示）を形成したもので、ハウジング本体１１１を相手コネクタに嵌合接続させた際に相手コネクタの係合手段が前記係合部に係合することで、ハウジング本体１１１を相手コネクタに結合させる。
【０００５】
ロック解除用押下部１１３は、ロックアーム１１２の後端に形成されている。このロック解除用押下部１１３は、ロックアーム１１２と相手コネクタの係合手段との係合を解除するときに押下操作される。該ロック解除用押下部１１３を押下操作することで、ロックアーム１１２がロック解除方向（上壁面１１１ａ側）に撓んで、ロックアーム１１２と相手コネクタの係合手段との係合が解除される。
【０００６】
カバー結合手段１１４は、カバー案内リブ１１６と、カバー係止部１１７と、から構成されている。
【０００７】
カバー案内リブ１１６は、ハウジング本体１１１の後端１１１ｂに対するコネクタカバー１２０の嵌合装着方向（図１７の矢印Ｘ１方向とは、逆方向）に沿って延在するリブ状に、後端１１１ｂ側の両外側面１１１ｃに形成されている。このカバー案内リブ１１６は、コネクタカバー１２０を後端１１１ｂに嵌合装着する際に、コネクタカバー１２０を嵌合方向に誘導する。
【０００８】
カバー係止部１１７は、後端１１１ｂに対するコネクタカバー１２０の嵌合装着が完了したときにコネクタカバー１２０と係合して、コネクタカバー１２０を固定する。
【０００９】
コネクタカバー１２０は、コネクタハウジング１１０の後端に嵌合装着されるハウジング固定部１２１と、該ハウジング固定部１２１の後端に一体形成された電線案内壁部１２２と、を備える。
【００１０】
ハウジング固定部１２１は、ハウジング本体１１１の後端１１１ｂから導出する電線を収容する筒状又は樋状をなしている。このハウジング固定部１２１は、コネクタハウジング１１０の後端１１１ｂの両側面に被さる両側壁部１２１ａに、リブ係合溝１２４と、ハウジング係合部１２５と、を備えている。
【００１１】
リブ係合溝１２４は、カバー案内リブ１１６が挿入されることで、コネクタハウジング１１０に対するコネクタカバー１２０の嵌合装着時におけるコネクタカバー１２０の移動方向を規制する。
【００１２】
ハウジング係合部１２５は、コネクタカバー１２０がコネクタハウジング１１０に対して正規の嵌合完了位置に到達したときに、カバー係止部１１７と係合することでコネクタカバー１２０をハウジング本体１１１の後端１１１ｂに固定する係止突起である。
【００１３】
ハウジング固定部１２１には、図１７に示すように、端子押し込み突片１２６が、装備されている。
【００１４】
端子押し込み突片１２６は、コネクタカバー１２０のハウジング本体１１１への嵌合に伴ってハウジング本体１１１の端子挿入孔に挿入されて、前記端子挿入孔内の中途挿入状態の端子金具を正規の挿入完了位置に押し込む。
【００１５】
電線案内壁部１２２は、当該ハウジング固定部１２１の後端からハウジング本体１１１における電線の導出方向と直交する方向（図１７では、矢印Ｙ１方向）に延出して設けられている。この電線案内壁部１２２は、ハウジング本体１１１から導出する電線をハウジング本体１１１からの導出方向と直交する方向に方向変換して導出させる。
【００１６】
特許文献１における電線案内壁部１２２は、電線の導出方向（矢印Ｙ１方向）と直交する方向には変形し難い剛構造に形成されている。
【先行技術文献】
【特許文献】
【００１７】
【特許文献１】特開２０００−３４８８１０号公報
【発明の概要】
【発明が解決しようとする課題】
【００１８】
ところで、上記特許文献１におけるカバー付きコネクタ１００の場合、相手コネクタから離脱させるときには、ロック解除用押下部１１３を押下して、ロックアーム１１２を係合解除方向に撓ませる。しかし、特許文献１のカバー付きコネクタ１００は、ロック解除用押下部１１３の押下に伴うロックアーム１１２の撓み変位量を規制する手段を有していない。
【００１９】
そのため、ロック解除用押下部１１３が強く押下された際に、ロックアーム１１２が過大に撓み変位して、ロックアーム１１２の破損が発生するおそれがあった。
【００２０】
このような不都合の発生を防止するには、例えば、ハウジング本体１１１又はロックアーム１１２に、ロック解除用押下部１１３が押下操作されたときのロックアーム１１２の撓み変位量を規制する機構を追加することが考えられる。
【００２１】
しかし、ハウジング本体１１１又はロックアーム１１２にロックアーム１１２の撓み変位量を規制する機構を追加すると、コネクタハウジング１１０の構造が複雑化してしまい、その結果、コネクタハウジング１１０の製造時における成形性の低下等を招くおそれがあった。
【００２２】
そこで、本発明の目的は、上記課題を解消することに係り、コネクタハウジングにおけるロックアームの過大変位による破損を防止することができ、しかも、コネクタハウジングの成形性を低下させる要因となるコネクタハウジングの構造の複雑化を招くこともないカバー付きコネクタを提供することにある。
【課題を解決するための手段】
【００２３】
本発明の前述した目的は、下記の構成により達成される。
（１）相手コネクタに嵌合接続されるコネクタハウジングと、該コネクタハウジングの後端に結合されて前記コネクタハウジングの後端から導出する電線の導出方向を規制するコネクタカバーと、を備え、
前記コネクタハウジングは、複数の端子挿入孔を有するハウジング本体と、該ハウジング本体の一側面の前端側から立ち上がって後端側に延出して設けられたアーム本体上の係合部が相手コネクタの係合手段と係合することで前記ハウジング本体を相手コネクタに結合させるロックアームと、該ロックアームの後端部に形成されて該ロックアームと相手コネクタの係合手段との係合を解除するときに押下されるロック解除用押下部と、を備え、
前記コネクタカバーは、前記コネクタハウジングの後端に結合されるハウジング固定部と、前記コネクタハウジングの後端への結合に伴い前記端子挿入孔に挿入されて前記端子挿入孔内の中途挿入状態の端子金具を正規の挿入完了位置に押し込む端子押し込み突片と、前記ハウジング本体から導出する電線の導出方向を規制する電線案内壁部と、
を備えるカバー付きコネクタであって、
前記ロック解除用押下部と対向する前記端子押し込み突片上に、前記ロック解除用押下部の押下による前記ロックアームの撓み変位量が規定値に達したときに前記ロックアームと当接して前記ロックアームの変位を規制するアーム変位規制部を隆起形成したことを特徴とするカバー付きコネクタ。
【００２４】
上記（１）の構成によれば、当該カバー付きコネクタを相手コネクタから離脱させるために、コネクタハウジングに装備されているロック解除用押下部の押下によってロックアームが係合解除方向に撓み変位させられる場合、ロックアームの撓み変位量が規定値に達したときに、コネクタカバーの端子押し込み突片上に隆起形成されているアーム変位規制部にロックアームが当接することで、ロックアームのそれ以上の変位が規制される。
【００２５】
従って、コネクタカバーの端子押し込み突片上のアーム変位規制部とロックアームとの当接位置を適宜に設定しておくことで、ロック解除用押下部の押下操作時におけるロックアームの変位量が過大になることを防止することができ、コネクタハウジングにおけるロックアームの過大変位による破損を防止することができる。
【００２６】
しかも、ロック解除操作時にロックアームの撓み変位を規制するアーム変位規制部は、コネクタハウジングとは別体で、コネクタハウジングの後端に結合されるコネクタカバーに装備されるため、コネクタハウジングの成形性を低下させる要因となるコネクタハウジングの構造の複雑化を招くこともない。
【発明の効果】
【００２７】
本発明によるカバー付きコネクタによれば、当該カバー付きコネクタを相手コネクタから離脱させるために、コネクタハウジングに装備されているロック解除用押下部の押下によってロックアームが係合解除方向に撓み変位させられる場合、ロックアームの撓み変位量が規定値に達したときに、コネクタカバーの端子押し込み突片上に隆起形成されているアーム変位規制部にロックアームが当接することで、ロックアームのそれ以上の変位が規制される。従って、コネクタカバーの端子押し込み突片上のアーム変位規制部とロックアームとの当接位置を適宜に設定しておくことで、ロック解除用押下部の押下操作時におけるロックアームの変位量が過大になることを防止することができ、コネクタハウジングにおけるロックアームの過大変位による破損を防止することができる。
【００２８】
しかも、ロック解除操作時にロックアームの撓み変位を規制するアーム変位規制部は、コネクタハウジングとは別体で、コネクタハウジングの後端に結合されるコネクタカバーに装備されるため、コネクタハウジングの成形性を低下させる要因となるコネクタハウジングの構造の複雑化を招くこともない。
【図面の簡単な説明】
【００２９】
【図１】本発明に係るカバー付きコネクタの一実施形態の分解斜視図である。
【図２】図１のコネクタハウジングの側面図である。
【図３】図１のコネクタハウジングを後端側から視た斜視図である。
【図４】図１のコネクタハウジングの縦断面図（図３のＡ−Ａ断面図）である。
【図５】図１のコネクタカバーの側面図である。
【図６】図１のコネクタカバーの平面図である。
【図７】図１のＢ部の拡大図である。
【図８】一実施形態のカバー付きコネクタの組立完了状態の斜視図である。
【図９】一実施形態のカバー付きコネクタの組立完了状態における後端面側からの斜視図である。
【図１０】図８に示したカバー付きコネクタの正面図である。
【図１１】図１０のＣ−Ｃ断面図である。
【図１２】図１１のＤ部の拡大図である。
【図１３】図１０のＥ−Ｅ断面図である。
【図１４】図１３のＦ部の拡大図である。
【図１５】図９のＧ部の拡大図である。
【図１６】図１４に示したロック解除用押下部の押下によって撓み変位したロックアームが、アーム変位規制部に当接してそれ以上の変位が規制されている状態の拡大図である。
【図１７】従来のカバー付きコネクタの組立前の状態の側面図である。
【図１８】図１７に示したカバー付きコネクタの組立後の側面図である。
【発明を実施するための形態】
【００３０】
以下、本発明に係るカバー付きコネクタの好適な実施形態について、図面を参照して詳細に説明する。
【００３１】
図１〜図１６は本発明に係るカバー付きコネクタの一実施形態を示したもので、図１は一実施形態のカバー付きコネクタの分解斜視図、図２は図１のコネクタハウジングの側面図、図３は図１のコネクタハウジングを後端側から視た斜視図、図４は図１のコネクタハウジングの縦断面図（図３のＡ−Ａ断面図）、図５は図１のコネクタカバーの側面図、図６は図１のコネクタカバーの平面図、図７は図１のＢ部の拡大図、図８は一実施形態のカバー付きコネクタの組立完了状態の斜視図、図９は一実施形態のカバー付きコネクタの組立完了状態における後端面側からの斜視図、図１０は図８に示したカバー付きコネクタの正面図、図１１は図１０のＣ−Ｃ断面図、図１２は図１１のＤ部の拡大図、図１３は図１０のＥ−Ｅ断面図、図１４は図１３のＦ部の拡大図、図１５は図９のＧ部の拡大図、図１６は図１４に示したロック解除用押下部の押下によって撓み変位したロックアームが、アーム変位規制部に当接してそれ以上の変位が規制されている状態の拡大図である。
【００３２】
この一実施形態のカバー付きコネクタ１は、相手コネクタに嵌合接続されるコネクタハウジング２０と、該コネクタハウジング２０の後端２０ａに結合されてコネクタハウジング２０の後端２０ａから導出する電線（不図示）の導出方向を規制するコネクタカバー４０と、を備える。
【００３３】
コネクタハウジング２０は、複数の端子挿入孔２１１を有するハウジング本体２１と、該ハウジング本体２１の一側面であるハウジング上面２１ａに突設されたロックアーム２２と、該ロックアーム２２の後端部に形成されたロック解除用押下部２３と、を備える。前述のコネクタハウジング２０の後端２０ａは、ハウジング本体２１の後端でもある。
【００３４】
ハウジング本体２１における複数の端子挿入孔２１１は、図４に示すように、後端２０ａから前端に向かって、貫通形成されている。端子挿入孔２１１には、図４に示すように、電線の端部に圧着接続された端子金具３１が、挿入装着される。端子挿入孔２１１内には、図１３に示すように、ランス２５が設けられている。ランス２５は、規定の嵌合完了位置まで挿入された端子金具（不図示）を係止して、端子金具を抜け止めする。
【００３５】
ハウジング本体２１の後端２０ａ寄りの両外側面には、図１及び図２に示すように、カバー案内リブ２６と、カバー係止部２７と、が備えられている。
【００３６】
カバー案内リブ２６は、後端２０ａに対するコネクタカバー４０の嵌合装着方向（図１の矢印Ｘ２方向）に沿って延在するリブ状に、後端２０ａの側面に形成されている。このカバー案内リブ２６は、コネクタカバー４０をハウジング本体２１の後端２０ａに嵌合装着する際に、コネクタカバー４０を嵌合方向に誘導する。
【００３７】
カバー係止部２７は、後端２０ａに対するコネクタカバー４０の嵌合装着が完了したときにコネクタカバー４０と係合して、コネクタカバー４０を固定する。
【００３８】
ロックアーム２２は、図４に示すように、ハウジング本体２１におけるハウジング上面２１ａの前端寄りの位置から立ち上がってハウジング本体２１の後端２０ａ側に延出した片持ち梁状の可撓アーム２２ａの中間部に、係合用の凹み２２ｂを設けた構成である。
【００３９】
このロックアーム２２は、ハウジング本体２１を相手コネクタに嵌合装着した際に、凹み２２ｂに相手コネクタの係合手段が係合することで、ハウジング本体２１を相手コネクタに結合させる。
【００４０】
ロック解除用押下部２３は、ハウジング本体２１の後端２０ａ寄りに位置するロックアーム２２の後端部に形成された押下部である。このロック解除用押下部２３は、ロックアーム２２と相手コネクタの係合手段との係合を解除するときに、図１の矢印Ｙ２方向に、押下操作される。ロック解除用押下部２３を図１の矢印Ｙ２方向に押下すると、ロックアーム２２が下方（ハウジング上面２１ａ側）に撓んで、相手コネクタの係合手段とロックアーム２２の凹み２２ｂとの係合を解除することができる。
【００４１】
コネクタカバー４０は、図５及び図６に示すように、ハウジング固定部４１と、このハウジング固定部４１の後端に一体形成された電線案内壁部４２と、を備えている。
【００４２】
ハウジング固定部４１は、コネクタハウジング２０の後端２０ａに嵌合装着することにより、後端２０ａに結合される部位である。このハウジング固定部４１は、ハウジング本体２１の後端２０ａの両側面及び下面の３壁面の上に嵌合する略コ字状断面の構造をなしている。本実施形態のハウジング固定部４１は、図１及び図５に示すように、その前端側に、端子押し込み突片４１１と、リブ係合溝４１２と、ハウジング係合部４１３と、アーム変位規制部４１４と、を備えている。
【００４３】
端子押し込み突片４１１は、ハウジング固定部４１のコネクタハウジング２０への嵌合に伴って、ハウジング本体２１の端子挿入孔２１１に挿入されて、端子挿入孔２１１内の中途挿入状態の端子金具を正規の挿入完了位置に押し込む。
【００４４】
上記のリブ係合溝４１２とハウジング係合部４１３は、コネクタハウジング２０の後端２０ａの両側面に被さるハウジング固定部４１の両側壁部４１５に、形成されている。
【００４５】
リブ係合溝４１２は、図８に示すように、カバー案内リブ２６が挿入されることで、コネクタハウジング２０に対するハウジング固定部４１の嵌合装着時におけるハウジング固定部４１の移動方向を嵌合方向に規制する。
【００４６】
ハウジング係合部４１３は、図１１及び図１２に示すように、ハウジング固定部４１がコネクタハウジング２０に対して正規の嵌合完了位置に到達したときに、カバー係止部２７と係合することで、ハウジング固定部４１をコネクタハウジング２０の後端２０ａに固定する突起である。
【００４７】
コネクタカバー４０をコネクタハウジング２０の後端に嵌合装着した状態では、ハウジング固定部４１において最上位に位置する２つの端子押し込み突片４１１は、図１３〜図１５に示すように、ロック解除用押下部２３と対向するロック解除用押下部２３の下方側に進入している。
【００４８】
アーム変位規制部４１４は、図１３及び図１４に示すように、ロック解除用押下部２３と対向する２つの端子押し込み突片４１１上に隆起形成された凸状部である。このアーム変位規制部４１４は、ロック解除用押下部２３の押下によるロックアーム２２の撓み変位量が規定値に達したときに、図１６に示すように、ロックアーム２２と当接して、ロックアーム２２がそれ以上撓み変位しないように、ロックアーム２２の変位を規制する。
【００４９】
電線案内壁部４２は、図１３に示すように、前述のハウジング固定部４１の後端からハウジング本体２１における電線の導出方向（図１３における矢印Ｘ３方向）と直交する方向（図１３における矢印Ｙ３方向）に延出して設けられて、前記ハウジング本体２１から導出する電線をハウジング本体２１からの導出方向と直交する垂直上方向に方向変換して導出させる。
【００５０】
以上に説明した一実施形態のカバー付きコネクタ１の構成によれば、当該カバー付きコネクタ１を相手コネクタから離脱させるために、コネクタハウジング２０に装備されているロック解除用押下部２３の押下によってロックアーム２２が係合解除方向に撓み変位させられる場合、ロックアーム２２の撓み変位量が規定値に達したときに、図１６に示したように、コネクタカバー４０の端子押し込み突片４１１上に隆起形成されているアーム変位規制部４１４にロックアーム２２が当接することで、ロックアーム２２のそれ以上の変位が規制される。
【００５１】
従って、コネクタカバー４０の端子押し込み突片４１１上のアーム変位規制部４１４とロックアーム２２との当接位置を適宜に設定しておくことで、ロック解除用押下部２３の押下操作時におけるロックアーム２２の変位量が過大になることを防止することができ、コネクタハウジング２０におけるロックアーム２２の過大変位による破損を防止することができる。
【００５２】
しかも、ロック解除操作時にロックアーム２２の撓み変位を規制するアーム変位規制部４１４は、コネクタハウジング２０とは別体で、コネクタハウジング２０の後端に結合されるコネクタカバー４０に装備されるため、コネクタハウジング２０の成形性を低下させる要因となるコネクタハウジング２０の構造の複雑化を招くこともない。
【００５３】
なお、本発明のカバー付きコネクタは、前述した実施形態に限定されるものでなく、適宜、変形、改良等が可能である。
【００５４】
例えば、アーム変位規制部の具体的な隆起形状等は、上記実施形態の構造に限るものではなく、適宜、設計変更可能である。
【符号の説明】
【００５５】
１  カバー付きコネクタ
２０  コネクタハウジング
２０ａ  後端
２１  ハウジング本体
２２  ロックアーム
２３  ロック解除用押下部
４０  コネクタカバー
４１  ハウジング固定部
４２  電線案内壁部
４１１  端子押し込み突片
４１４  アーム変位規制部
【図１】
2013110024.tif 000003
【図２】
2013110024.tif 000004
【図３】
2013110024.tif 000005
【図４】
2013110024.tif 000006
【図５】
2013110024.tif 000007
【図６】
2013110024.tif 000008
【図７】
2013110024.tif 000009
【図８】
2013110024.tif 000010
【図９】
2013110024.tif 000011
【図１０】
2013110024.tif 000012
【図１１】
2013110024.tif 000013
【図１２】
2013110024.tif 000014
【図１３】
2013110024.tif 000015
【図１４】
2013110024.tif 000016
【図１５】
2013110024.tif 000017
【図１６】
2013110024.tif 000018
【図１７】
2013110024.tif 000019
【図１８】
2013110024.tif 000020